(57)【要約】【課題】  ４輪駆動の車両において、車体速度が適切に演算され、アンチスキッド制御が好適に実行され得るものを提供する。【解決手段】  ４つの車輪速度と車体速度との比較結果に基づいて制動トルクを減少する減少モードと制動トルクを増加する増加モードとを選択的に切り替えてアンチスキッド制御を実行する。アンチスキッド制御装置のコントローラは、車輪速度に基づいて車輪加速度を演算し、各車輪で減少モードを選択する制御モード条件と、各車輪加速度が所定値の範囲内である車輪加速度条件と、を含んで構成され、制御モード条件と車輪加速度条件とが同時に満足される状態が所定時間に亘って継続される場合に残留状態であることを判定する。そして、残留状態を判定しない場合には、各車輪速度のうちの最大値に基づいて車体速度を演算し、残留状態を判定する場合には、各車輪速度のうちの最小値に基づいて車体速度を演算する。【選択図】  図３
2018076010.tif 000002
【特許請求の範囲】
【請求項１】
車両の４つの車輪の車輪速度を検出する車輪速度センサと、
前記４つの車輪速度のうちの少なくとも１つに基づいて前記車両の車体速度を演算し、前記４つの車輪速度と該車体速度との比較結果に基づいて前記４つの車輪に付与する制動トルクを減少する減少モードと該制動トルクを増加する増加モードとを選択的に切り替えることによって前記４つの車輪のロック傾向を抑制するアンチスキッド制御を実行するコントローラと、
を備えるとともに、
前記車両の駆動源からの駆動力が、前記４つの車輪に伝達される４輪駆動車両に適用される車両のアンチスキッド制御装置において、
前記コントローラは、
前記４つの車輪速度に基づいて前記４つの車輪の加速度を演算し、
前記４つの車輪で前記減少モードを選択する制御モード条件と、前記４つの車輪の加速度が所定値の範囲内である車輪加速度条件と、を含んで構成され、
前記制御モード条件と前記車輪加速度条件とが同時に満足される状態が所定時間に亘って継続される場合に残留状態であることを判定し、
前記残留状態を判定しない場合には、前記４つの車輪速度のうちの最大値である速度最大値に基づいて前記車体速度を演算し、
前記残留状態を判定する場合には、前記４つの車輪速度のうちの最小値である速度最小値に基づいて前記車体速度を演算するよう構成された、車両のアンチスキッド制御装置。
【請求項２】
請求項１に記載の車両のアンチスキッド制御装置において、
前記コントローラは、
前記速度最大値と前記速度最小値との差が所定速度以下である車輪速度条件を含んで構成され、
前記制御モード条件、前記車輪加速度条件、及び、前記車輪速度条件が同時に満足される状態が前記所定時間に亘って継続される場合に残留状態であることを判定する、車両のアンチスキッド制御装置。
【請求項３】
車両の４つの車輪の車輪速度を検出する車輪速度センサと、
前記４つの車輪速度のうちの少なくとも１つに基づいて前記車両の車体速度を演算し、前記４つの車輪速度と該車体速度との比較結果に基づいて前記４つの車輪に付与する制動トルクを減少する減少モードと該制動トルクを増加する増加モードとを選択的に切り替えることによって前記４つの車輪のロック傾向を抑制するアンチスキッド制御を実行するコントローラと、
を備えるとともに、
前記車両の駆動源からの駆動力が、前記４つの車輪に伝達される４輪駆動車両に適用される車両のアンチスキッド制御装置において、
前記コントローラは、
前記４つの車輪で前記減少モードを選択する制御モード条件と、前記４つの車輪速度のうちの最大値である速度最大値と前記４つの車輪速度のうちの最小値である速度最小値との差が所定速度以下である車輪速度条件と、を含んで構成され、
前記制御モード条件と前記車輪速度条件とが同時に満足される状態が所定時間に亘って継続される場合に残留状態であることを判定し、
前記残留状態を判定しない場合には、前記速度最大値に基づいて前記車体速度を演算し、
前記残留状態を判定する場合には、前記速度最小値に基づいて前記車体速度を演算するよう構成された、車両のアンチスキッド制御装置。
【発明の詳細な説明】
【技術分野】
【０００１】
本発明は、車両のアンチスキッド制御装置に関する。
【背景技術】
【０００２】
特許文献１には、「悪路走行時等における誤判断を防止して駆動系振動を確実に検知することができ、これにより、駆動系振動発生時にのみ駆動系振動収束処理の実行を可能として誤判断による減速度抜け、減速度不足、制動停止距離増加等の不具合発生を防止することが可能な４輪駆動車両におけるアンチスキッド制御装置を提供する」ことを目的に、「左右前輪１４、１０の車輪加速度ＶＷＤＦＬ、ＶＷＤＦＲの平均値ＶＷＤＦＡと左右後輪２２、２０の車輪加速度ＶＷＤＲＬ、ＶＷＤＲＲの平均値ＶＷＤＲＡとの差分の絶対値を加速度差ＤＶＷＤ＿ＦＲ（＝｜ＶＷＤＦＡ−ＶＷＤＲＡ｜）として算出し、この加速度差ＤＶＷＤ＿ＦＲが振動判断進入閾値ＤＶＷＤＶＩＢ＃を越えた時は、駆動系振動が発生したとの判断がなされる」ことが記載されている。
【０００３】
４輪駆動車両のアンチスキッド制御装置には、上記の駆動系振動に起因する課題だけではなく、加速スリップに起因する課題が存在する。このことについて、図４の時系列線図を参照して説明する。図４では、車両が急加速された直後に、急制動が行われ、アンチスキッド制御が開始される状況が想定されている。
【０００４】
時点ｔ０までは、車両は急加速され、車輪速度Ｖｗａ[**]が増加される。車輪速度Ｖｗａ[**]には、加速スリップＳｋｓが含まれるため、車輪速度Ｖｗａ[**]は、車体速度の真値Ｖｘｓよりも大きくなっている。加速スリップＳｋｓのため、車輪速度Ｖｗａ[**]から推定される車体速度Ｖｘａは、その真値Ｖｘｓよりも大きい値となる。ここで、車輪速度Ｖｗａ[**]が車体速度の真値Ｖｘｓに一致する場合には、車輪速度Ｖｗａ[**]には、加速スリップＳｋｓ、及び、減速スリップＳｇｎが、ともに含まれない。
【０００５】
時点ｔ０にて、運転者がアクセルペダルから足を離し、加速操作が終了される。そして、直後の時点ｔ１にて、急激な制動操作が開始される。この急制動に起因して、時点ｔ２にて、アンチスキッド制御が開始される。
【０００６】
車輪ＷＨ[**]は、トランスミッションＴＲＮを介して、動力源ＰＷＵに接続されているため、未だ、加速の影響が残っている。加えて、４輪駆動の車両では、車輪ＷＨ[**]が、動力源ＰＷＵ、トランスミッションＴＲＮに機械的に接続されているため、その慣性モーメントが相対的に大きい。このため、アンチスキッド制御が開始された、時点ｔ２以降、各車輪ＷＨ[**]の速度Ｖｗａ[**]は、車体速度の真値Ｖｘｓに向けて、加速の影響が残ったまま、緩やかに減少していく。
【０００７】
アンチスキッド制御では、４つの車輪速度Ｖｗａ[**]のうちの最速のものに基づいて、車体速度Ｖｘａが決定される。このため、車体速度Ｖｘａの決定には、車輪速度Ｖｗａ[**]の最大値が採用されることとなる。結果、車体速度Ｖｘａは、相対的に大きい値に演算される。
【０００８】
アンチスキッド制御では、車輪速度Ｖｗａ[**]と車体速度Ｖｘａとの差に基づいて、スリップ状態量Ｓｌｐ[**]が演算される。そして、このスリップ状態量Ｓｌｐ[**]に基づいて、制動トルク（即ち、ホイールシリンダ液圧）が調整される。従って、車体速度Ｖｘａが相対的に大きく決定される場合には、スリップ状態量Ｓｌｐが大きく決定され、制動トルクが減少され易くなる。即ち、車輪速度Ｖｗａ[**]に残る加速スリップＳｋｓの影響のため、アンチスキッド制御において、必要以上に制動トルクが減少されることが生じ得る。
【０００９】
以上で説明したように、４輪駆動の車両に適用される車両のアンチスキッド制御装置においては、加速スリップＳｋｓの影響が補償され、車体速度Ｖｘａが、適切に推定され得るものが切望されている。
【先行技術文献】
【特許文献】
【００１０】
【特許文献１】特開２００３−０４８５２６号公報
【発明の概要】
【発明が解決しようとする課題】
【００１１】
本発明の目的は、４輪駆動の車両において、車体速度が適切に演算され、アンチスキッド制御が好適に実行され得るものを提供することである。
【課題を解決するための手段】
【００１２】
本発明に係る車両のアンチスキッド制御装置は、車両の４つの車輪（ＷＨ[**]）の車輪速度（Ｖｗａ[**]）を検出する車輪速度センサ（ＶＷＡ[**]）と、前記４つの車輪速度（Ｖｗａ[**]）のうちの少なくとも１つに基づいて前記車両の車体速度（Ｖｘａ）を演算し、前記４つの車輪速度（Ｖｗａ[**]）と該車体速度（Ｖｘａ）との比較結果（Ｓｌｐ[**]）に基づいて前記４つの車輪（ＷＨ[**]）に付与する制動トルクを減少する減少モード（Ｍｇｎ）と該制動トルクを増加する増加モード（Ｍｚｏ）とを選択的に切り替えることによって前記４つの車輪（ＷＨ[**]）のロック傾向を抑制するアンチスキッド制御を実行するコントローラ（ＥＣＵ）と、を備えるとともに、前記車両の駆動源（ＰＷＵ）からの駆動力が、前記４つの車輪（ＷＨ[**]）に伝達される４輪駆動車両に適用される。
【００１３】
本発明に係る車両のアンチスキッド制御装置では、前記コントローラ（ＥＣＵ）は、前記４つの車輪速度（Ｖｗａ[**]）に基づいて前記４つの車輪（ＷＨ[**]）の加速度（ｄＶｗ[**]）を演算し、前記４つの車輪（ＷＨ[**]）で前記減少モード（Ｍｇｎ）を選択する制御モード条件と、前記４つの車輪（ＷＨ[**]）の加速度（ｄＶｗ[**]）が所定値（ｄｖｘ）の範囲内（｜ｄＶｗ[**]｜＜ｄｖｘ）である車輪加速度条件と、を含んで構成される。そして、前記制御モード条件と前記車輪加速度条件とが同時に満足される状態が所定時間（ｔｋｘ）に亘って継続される場合に残留状態であること（ＦＬｚｎ＝１）を判定する。前記残留状態を判定しない場合（ＦＬｚｎ＝０）には、前記４つの車輪速度（Ｖｗａ[**]）のうちの最大値である速度最大値（Ｖｗａ[**]ｄ）に基づいて前記車体速度（Ｖｘａ）を演算し、前記残留状態を判定する場合（ＦＬｚｎ＝１）には、前記４つの車輪速度（Ｖｗａ[**]）のうちの最小値である速度最小値（Ｖｗａ[**]ｓ）に基づいて前記車体速度（Ｖｘａ）を演算する。
【００１４】
さらに、本発明に係る車両のアンチスキッド制御装置では、前記コントローラ（ＥＣＵ）は、前記速度最大値（Ｖｗａ[**]ｄ）と前記速度最小値（Ｖｗａ[**]ｓ）との差（ｅＶｗ）が所定速度（ｖｗｘ）以下である車輪速度条件を含んで構成され、前記制御モード条件、前記車輪加速度条件、及び、前記車輪速度条件が同時に満足される状態が前記所定時間（ｔｋｘ）に亘って継続される場合に残留状態であること（ＦＬｚｎ＝１）を判定する。
【００１５】
また、本発明に係る車両のアンチスキッド制御装置では、前記コントローラ（ＥＣＵ）は、前記４つの車輪（ＷＨ[**]）で前記減少モード（Ｍｇｎ）を選択する制御モード条件と、前記４つの車輪速度（Ｖｗａ[**]）のうちの最大値である速度最大値（Ｖｗａ[**]ｄ）と前記４つの車輪速度（Ｖｗａ[**]）のうちの最小値である速度最小値（Ｖｗａ[**]ｓ）との差（ｅＶｗ）が所定速度（ｖｗｘ）以下である車輪速度条件と、を含んで構成される。そして、前記制御モード条件と前記車輪速度条件とが同時に満足される状態が所定時間（ｔｋｘ）に亘って継続される場合に残留状態であること（ＦＬｚｎ＝１）を判定する。前記残留状態を判定しない場合（ＦＬｚｎ＝０）には、前記速度最大値（Ｖｗａ[**]ｄ）に基づいて前記車体速度（Ｖｘａ）を演算し、前記残留状態を判定する場合（ＦＬｚｎ＝１）には、前記速度最小値（Ｖｗａ[**]ｓ）に基づいて前記車体速度（Ｖｘａ）を演算する。
【００１６】
車輪速度Ｖｗａ[**]に加速スリップＳｋｓが含まれる場合、車体速度の真値Ｖｘｓに対して、最も乖離したものが車輪速度の最大値Ｖｗａ[**]ｄであり、最も接近したものが車輪速度の最小値Ｖｗａ[**]ｓである。上記構成によれば、各条件（制御モード条件等）に基づいて、「残留状態であるか、否か」が判定され、残留状態が否定される場合には、最大値Ｖｗａ[**]ｄに基づいて車体速度Ｖｘａが演算され、残留状態が肯定される場合には、最小値Ｖｗａ[**]ｓに基づいて車体速度Ｖｘａが演算される。このため、車輪速度Ｖｗａ[**]に加速スリップＳｋｓが含まれる場合に、加速スリップＳｋｓの影響が最小限に抑えられて、車体速度Ｖｘａが決定される。結果、アンチスキッド制御が好適に実行され、車両が確実に減速され得る。
【図面の簡単な説明】
【００１７】
【図１】本発明に係る車両のアンチスキッド制御装置ＡＳＣを搭載した車両の全体構成図である。
【図２】アンチスキッド制御の処理概要を説明するためのフロー図である。
【図３】制御状態の決定処理を説明するためのフロー図である。
【図４】加速スリップＳｋｓに起因する課題、及び、作用・効果を説明するための時系列線図である。
【発明を実施するための形態】
【００１８】
＜記号の説明＞
以下の説明において、同一の記号が付された構成部材、演算処理、信号、特性、及び、値は、同一の機能を発揮するものである。従って、重複説明は、省略されることがある。
【００１９】
各種記号等の末尾に付された括弧付の添字[**]は、車両の前後左右の４輪のうちの何れかに関するものであるかを示す。具体的には、各添字は、[ｆｌ]が左前輪に、[ｆｒ]が右前輪に、[ｒｌ]が左後輪に、[ｒｒ]が右後輪に、夫々、対応している。さらに、添字[**]は、省略されることもある。例えば、車輪速度センサＶＷＡ[**]（添字[**]が省略された場合には、「ＶＷＡ」と表記）は、左前輪用の車輪速度センサＶＷＡ[ｆｌ]、右前輪用の車輪速度センサＶＷＡ[ｆｒ]、左後輪用の車輪速度センサＶＷＡ[ｒｌ]、右後輪用の車輪速度センサＶＷＡ[ｒｒ]を包括的に示す。
【００２０】
＜本発明に係る車両のアンチスキッド制御装置の全体構成＞
図１の全体構成図を参照して、本発明に係るアンチスキッド制御装置ＡＳＣについて説明する。車両は、４輪の総てが駆動輪（駆動力が伝達される車輪）である４輪駆動方式の車両である。
【００２１】
アンチスキッド制御装置ＡＳＣを備える車両には、制動操作部材ＢＰ、制動操作量センサＢＰＡ、ブレーキスイッチＢＳＷ、コントローラＥＣＵ、車輪速度センサＶＷＡ[**]、及び、ブレーキアクチュエータ（単に、「アクチュエータ」ともいう）ＢＲＫが備えられる。さらに、車両の４つの車輪ＷＨ[**]には、ブレーキキャリパＣＰ[**]、ホイールシリンダＷＣ[**]、回転部材ＫＴ[**]、及び、摩擦部材ＭＳ[**]が備えられる。アクチュエータＢＲＫとホイールシリンダＷＣ[**]とは、制動配管ＨＫ[**]を介して接続されている。
【００２２】
車両（所謂、フルタイム４ＷＤの車両）は、駆動力を発生する動力源（パワーユニット）ＰＷＵと、動力源ＰＷＵに接続されたトランスミッションＴＲＮと、を備える。即ち、車輪ＷＨ[**]は、常時、トランスミッションＴＲＮを介して、動力源ＰＷＵに機械的に接続されている。例えば、動力源ＰＷＵは、内燃機関（所謂、エンジン）、電気モータである。動力源ＰＷＵの出力（駆動力）は、トランスミッションＴＲＮによって、前輪ＷＨ[fｌ]、ＷＨ[fr]と後輪ＷＨ[rl]、ＷＨ[rr]とに適宜配分されて、伝達される。ここで、駆動力は、プロペラシャフトＰＰＳを介して、トランスミッションＴＲＮから後輪ＷＨ[rl]、ＷＨ[rr]の側に伝達される。
【００２３】
そして、前輪側駆動力は、前輪ディファレンシャルＦＤＦ、及び、前輪ドライブシャフトＦＤＳを介して、左右の前輪ＷＨ[fr]、ＷＨ[fｌ]に、夫々伝達される。また、後輪側駆動力は、後輪ディファレンシャルＲＤＦ、及び、後輪ドライブシャフトＲＤＳを介して、左右の後輪ＷＨ[rr]、ＷＨ[rl]に、夫々伝達される。さらに、トランスミッションＴＲＮには、センタディファレンシャルＣＤＦが備えられ、前輪側駆動力と後輪側駆動力とが、車両の走行状態に応じて、適宜調整され得る。例えば、センタディファレンシャルＣＤＦとして、ビスカスカップリングが採用され得る。
【００２４】
制動操作部材（例えば、ブレーキペダル）ＢＰは、運転者が車両を減速するために操作する部材である。制動操作部材ＢＰが操作されることによって、車輪ＷＨ[**]（単に、「ＷＨ」とも表記）に対する制動トルクが調整され、車輪ＷＨに制動力が発生される。具体的には、車両の車輪ＷＨには、回転部材（例えば、ブレーキディスク）ＫＴ[**]が固定される。回転部材ＫＴ[**]（単に、「ＫＴ」とも表記）を挟み込むようにブレーキキャリパＣＰ[**]（単に、「ＣＰ」とも表記）が配置される。
【００２５】
ブレーキキャリパ（単に、キャリパともいう）ＣＰには、ホイールシリンダＷＣ[**]（単に、「ＷＣ」とも表記）が設けられる。キャリパＣＰのホイールシリンダＷＣ内の液圧が調整（増加、又は、減少）されることによって、ホイールシリンダＷＣ内のピストンが回転部材ＫＴに対して移動（前進、又は、後退）される。このピストンの移動によって、摩擦部材（例えば、ブレーキパッド）ＭＳ[**]が、回転部材ＫＴに押し付けられ、押圧力が発生する。回転部材ＫＴと車輪ＷＨとは、一体となって回転するように固定されている。このため、上記押圧力にて生じる摩擦力によって、車輪ＷＨに制動トルク（制動力）が発生される。
【００２６】
制動操作部材ＢＰには、制動操作量センサ（単に、「操作量センサ」ともいう）ＢＰＡが設けられる。操作量センサＢＰＡによって、運転者による制動操作部材（ブレーキペダル）ＢＰの操作量Ｂｐａが検出される。具体的には、制動操作量センサＢＰＡとして、マスタシリンダＭＣの圧力を検出する液圧センサ、制動操作部材ＢＰの操作変位を検出する操作変位センサ、及び、制動操作部材ＢＰの操作力を検出する操作力センサのうちの少なくとも１つが採用される。
【００２７】
換言すれば、操作量センサＢＰＡは、マスタシリンダ液圧センサ、操作変位センサ、及び、操作力センサについての総称である。従って、制動操作量Ｂｐａは、マスタシリンダＭＣの液圧、制動操作部材ＢＰの操作変位、及び、制動操作部材ＢＰの操作力のうちの少なくとも１つに基づいて決定される。操作量Ｂｐａは、コントローラＥＣＵに入力される。
【００２８】
また、制動操作部材ＢＰには、ブレーキスイッチＢＳＷが設けられる。ブレーキスイッチＢＳＷは、ＯＮ／ＯＦＦスイッチであり、制動操作部材ＢＰが操作されているか、否かを検出する。ブレーキスイッチＢＳＷによって、制動操作部材ＢＰが操作されている場合にはＯＮ信号がコントローラＥＣＵに送信され、制動操作部材ＢＰが操作されていない場合にはＯＦＦ信号が送信される。
【００２９】
コントローラ（「電子制御ユニット」ともいう）ＥＣＵは、マイクロプロセッサ等が実装された電気回路基板と、マイクロプロセッサにプログラムされた制御アルゴリズムにて構成されている。コントローラＥＣＵでは、車輪速度センサＶＷＡ[**]（単に、「ＶＷＡ」とも表記）の検出値（車輪速度）Ｖｗａ[**]（単に、「Ｖｗａ」とも表記）に基づいて、アンチスキッド制御が実行される。具体的には、車輪速度Ｖｗａに基づいて、各車輪ＷＨのスリップ度合を表すスリップ状態量Ｓｌｐ（単に、「Ｓｌｐ」とも表記）が演算される。そして、スリップ状態量Ｓｌｐ[**]に基づいて、各車輪のスリップ度合を低減するよう（即ち、過大な減速スリップＳｇｎを抑制し、車輪ＷＨのロック傾向を防止するよう）、ホイールシリンダＷＣ内の液圧を調整するための駆動信号Ｃｍｄが形成され、アクチュエータＢＲＫに送信される。ここで、駆動信号Ｃｍｄには、「減少モードＭｇｎ、又は、増加モードＭｚｏの制御モード」、「電磁弁ＳＶのデューティ比Ｄｕｇ、Ｄｕｚ」、及び、「電気モータＭＴの駆動指示」が含まれる。
【００３０】
車両の車輪ＷＨの各々には、車輪速度センサＶＷＡが備えられる。４つの車輪速度センサＶＷＡによって、４つの車輪速度Ｖｗａが検出される。車輪速度Ｖｗａは、コントローラＥＣＵに入力される。
【００３１】
ブレーキアクチュエータ（単に、「アクチュエータ」ともいう）ＢＲＫによって、制動操作部材ＢＰの操作に応じて、ホイールシリンダＷＣの制動液圧が発生される。加えて、アンチスキッド制御が実行される場合には、アクチュエータＢＲＫによって、ホイールシリンダＷＣの制動液圧が調整（増減）される。アクチュエータＢＲＫは、ブレーキペダルＢＰの操作力に応じた制動液圧を発生するマスタシリンダＭＣ、及び、各ホイールシリンダＷＣに供給する制動液圧を独立して調整可能な液圧ユニットＨＵにて構成される。マスタシリンダＭＣ、及び、液圧ユニットＨＵの構成は公知であるため、簡単に説明する。
【００３２】
マスタシリンダＭＣは、制動操作部材ＢＰと、ブレーキロッドＢＲＤを介して、機械的に接続されている。マスタシリンダＭＣによって、制動操作部材ＢＰの操作力（ブレーキペダル踏力）が、制動液の圧力に変換される。
【００３３】
マスタシリンダＭＣと各ホイールシリンダＷＣとの間には、液圧ユニットＨＵが設けられている。アンチスキッド制御が実行される場合には、液圧ユニットＨＵによって、各ホイールシリンダＷＣ[**]の制動液圧Ｐｗ[**]が、各輪独立にて調整される。液圧ユニットＨＵは、複数の電磁弁ＳＶ（例えば、ＯＮ／ＯＦＦの２位置電磁弁）、低圧リザーバＲＶ、液圧ポンプＨＰ、及び、電気モータＭＴにて構成される。
【００３４】
アンチスキッド制御によって、制動液圧Ｐｗ[**]の減少が必要な場合（「減少モードＭｇｎ」という）には、電磁弁ＳＶのうちの常開型の増圧弁が閉状態にされ、電磁弁ＳＶのうちの常閉型の減圧弁が開状態にされる。そして、ホイールシリンダＷＣ内の制動液が、低圧リザーバＲＶに移動されるため、ホイールシリンダＷＣの制動液圧が減少される。ここで、減圧速度（制動液圧の減少における時間勾配）は、減圧弁のデューティ比（一定周期における通電状態の時間割合）Ｄｕｇによって決定される。具体的には、デューティ比Ｄｕｇ「１００％」が、常時、開状態に対応し、制動液圧は急減される。なお、デューティ比Ｄｕｇ「０％」が、常時、閉状態に対応している。
【００３５】
アンチスキッド制御によって、制動液圧Pw[**]の増加が必要な場合（「増加モードＭｚｏ」という）には、電磁弁ＳＶのうちの増圧弁が開状態にされ、電磁弁ＳＶのうちの減圧弁が閉状態にされる。そして、制動液が、マスタシリンダＭＣからホイールシリンダＷＣに移動され、ホイールシリンダＷＣの制動液圧が増加される。ここで、増圧速度（制動液圧の増加における時間勾配）は、増圧弁のデューティ比（一定周期における通電状態の時間割合）Ｄｕｚによって決定される。具体的には、デューティ比Ｄｕｚ「０％」が、常時、開状態に対応し、制動液圧は急増される。なお、デューティ比Ｄｕｚ「１００％」が、常時、閉状態に対応している。
【００３６】
減少モードＭｇｎにおいて、低圧リザーバＲＶに溜まった制動液は、電気モータＭＴによって駆動される液圧ポンプＨＰによって、電磁弁ＳＶの増圧弁とマスタシリンダＭＣとの間の流体路に戻される。電磁弁ＳＶ（増圧弁、減圧弁）、及び、電気モータＭＴは、駆動信号Ｃｍｄによって駆動（制御）される。
【００３７】
なお、アンチスキッド制御によって、制動液圧の保持が必要な場合には、減少モードＭｇｎ、又は、増加モードＭｚｏにおいて、電磁弁ＳＶの減圧弁、又は、増圧弁が、常時、閉状態にされる。具体的には、減少モードＭｇｎにおいて、制動液圧の保持が必要な場合には、駆動信号Ｃｍｄによって、減圧弁のデューティ比Ｄｕｇが「０％（常閉状態）」に決定される。また、増加モードＭｚｏにおいて、制動液圧の保持が必要な場合には、駆動信号Ｃｍｄによって、増圧弁のデューティ比Ｄｕｚが「１００％（常閉状態）」に決定される。
【００３８】
＜アンチスキッド制御の処理概要＞
図２のフロー図を参照して、アンチスキッド制御（車輪の過大なスリップを低減して、車輪のロック傾向を抑制する制御）の全体的な処理の概要について説明する。このアンチスキッド制御の処理は、コントローラＥＣＵ内のマイクロプロセッサにプログラムされている。
【００３９】
アンチスキッド制御では、４つの車輪速度Ｖｗａのうちの少なくとも１つに基づいて、車体速度Ｖｘａが推定される。そして、車輪速度Ｖｗａと車体速度Ｖｘａとの比較に基づいて、ホイールシリンダＷＣの制動液圧が調整される。制動液圧の調整は、減少モード（減圧モード）Ｍｇｎ、及び、増加モード（増圧モード）Ｍｚｏのうちの何れか１つのモードが選択されることによって達成される。ここで、減少モードＭｇｎ、及び、増加モードＭｚｏは、「制御モード」と総称される。
【００４０】
ステップＳ１１０にて、制動操作量Ｂｐａ、ブレーキスイッチ信号Ｂｓｗ、車輪速度Ｖｗａ[**]、及び、駆動信号Ｃｍｄが読み込まれる。制動操作量Ｂｐａは、制動操作量センサＢＰＡからの信号であり、信号Ｂｓｗは、ブレーキスイッチＢＳＷからの信号である。また、車輪速度Ｖｗａは、車輪ＷＨに備えられた車輪速度センサＶＷＡによって検出される。駆動信号Ｃｍｄは、コントローラＥＣＵ内にて処理された駆動信号であり、制御モード（減少モードＭｇｎ、及び、増加モードＭｚｏからの選択結果）、電磁弁ＳＶのデューティ比（目標値）Ｄｕｇ、Ｄｕｚ等の情報を含んでいる。
【００４１】
ステップＳ１２０にて、制動操作量Ｂｐａ、及び、スイッチ信号Ｂｓｗのうちの少なくとも１つに基づいて、「車両が制動中であるか、否か」が判定される。例えば、操作量Ｂｐａが所定値ｂｐ０以上である場合には、制動中であることが判定され、操作量Ｂｐａが所定値ｂｐ０未満である場合には、制動中ではないことが判定される。ここで、所定値ｂｐ０は、予め設定された判定用のしきい値であり、制動操作部材（ブレーキペダル）ＢＰの「遊び」に相当する。また、スイッチ信号Ｂｓｗがオン状態（ＯＮ信号）を表す場合には、制動中であることが判定され、スイッチ信号Ｂｓｗがオフ状態（ＯＦＦ信号）を表す場合には、制動中ではないことが判定される。
【００４２】
制動操作中ではなく、ステップＳ１２０が否定される場合（「ＮＯ」の場合）には、処理は、ステップＳ１１０に戻される。制動操作中であり、ステップＳ１２０が肯定される場合（「ＹＥＳ」の場合）には、処理は、ステップＳ１３０に進む。
【００４３】
ステップＳ１３０にて、各車輪ＷＨ[**]の車輪速度Ｖｗａ[**]に基づいて、車輪加速度（車輪速度の時間変化量）ｄＶｗ[**]が演算される。具体的には、車輪加速度ｄＶｗ[**]（単に、「ｄＶｗ」とも表記）は、車輪速度Ｖｗａ[**]が時間微分されて算出される。ここで、車輪加速度ｄＶｗは、車輪ＷＨの回転運動が加速している場合には正（プラス）符号、車輪ＷＨの回転運動が減速している場合には負（マイナス）符号の値として演算される。
【００４４】
ステップＳ１４０にて、車輪速度Ｖｗａ、及び、車輪加速度ｄＶｗのうちの少なくとも１つに基づいて、制御状態が決定される。「制御状態」として、「残留状態」と、該残留状態ではない「通常状態」とが存在する。残留状態は、「車輪速度Ｖｗａ[**]に加速スリップＳｋｓの影響が残ってはいるが、車輪速度Ｖｗａ[**]は、車体速度の真値Ｖｘｓに向けて収束しつつある」状態に対応している。また、通常状態は車輪速度Ｖｗａ[**]に加速スリップＳｋｓの影響が存在しない状態に対応している。
【００４５】
ステップＳ１４０では、制御状態として、通常状態（残留状態が否定される状態）が決定される場合には、これを表示するため、制御フラグ（判定フラグ）ＦＬｚｎが「０」にされる。一方、制御状態として、残留状態が決定される場合には、制御フラグＦＬｚｎが「１」にされる。なお、制御状態は、初期状態（デフォルト）として、通常状態（即ち、ＦＬｚｎ＝０）が設定されている。制御状態の詳細な決定方法については後述する。
【００４６】
ステップＳ１５０にて、制御状態に基づいて、車体速度Ｖｘａが演算される。具体的には、制御状態が通常状態である場合（ＦＬｚｎ＝０）には、速度最大値Ｖｗａ[**]ｄに基づいて、車体速度Ｖｘａが演算される。ここで、「速度最大値Ｖｗａ[**]ｄ」は、４つの車輪ＷＨ[**]の車輪速度Ｖｗａ[**]のうちで最も大きい値（即ち、最速のもの）である。なお、括弧後の添字「ｄ」によって、該当する複数のもの（例えば、車輪速度Ｖｗａ[**]）のうちの「最大値」であることが表示される。
【００４７】
一方、制御状態が残留状態である場合（ＦＬｚｎ＝１）には、速度最小値Ｖｗａ[**]ｓに基づいて、車体速度Ｖｘａが演算される。ここで、「速度最小値Ｖｗａ[**]ｓ」は、４つの車輪ＷＨ[**]の車輪速度Ｖｗａ[**]のうちで最も小さい値（即ち、最遅のもの）である。なお、括弧後の添字「ｓ」によって、該当する複数のもの（例えば、車輪速度Ｖｗａ[**]）のうちの「最小値」であることが表示される。
【００４８】
さらに、車体速度Ｖｘａが演算される場合には、車体速度Ｖｘａの時間変化量において制限が設けられる。即ち、車体速度Ｖｘａの増加勾配の上限値αｕｐ、及び、減少勾配の下限値αｄｎが設定され、車体速度Ｖｘａの変化が、上下限値αｕｐ、αｄｎによって制約される。これは、車輪ＷＨの慣性に比較して、車両全体の慣性は、非常に大きく、変化し難いことに因る。
【００４９】
例えば、通常状態であること（即ち、残留状態ではないこと）が判定され、且つ、変化勾配の上下限値αｕｐ、αｄｎの制限を受けない場合には、速度最大値Ｖｗａ[**]ｄが、そのまま、車体速度Ｖｘａとして演算される。一方、上下限値αｕｐ、αｄｎの制限を受ける場合には、速度最大値Ｖｗａ[**]ｄが、上下限値αｕｐ、αｄｎに制限されて、車体速度Ｖｘａが演算される。
【００５０】
また、残留状態であることが判定され、且つ、変化勾配の上下限値αｕｐ、αｄｎの制限を受けない場合には、速度最小値Ｖｗａ[**]ｓが、そのまま、車体速度Ｖｘａとして決定される。一方、上下限値αｕｐ、αｄｎの制限を受ける場合には、速度最小値Ｖｗａ[**]ｓが、上下限値αｕｐ、αｄｎに制限されて、車体速度Ｖｘａが演算される。ステップＳ１５０にて、車体速度Ｖｘａが決定された後、処理は、ステップＳ１６０に進む。
【００５１】
ステップＳ１６０にて、車体速度Ｖｘａと車輪速度Ｖｗａ[**]との比較に基づいて、車輪ＷＨ[**]のスリップ状態量Ｓｌｐ[**]が演算される。ここで、スリップ状態量Ｓｌｐ[**]（単に、「Ｓｌｐ」とも表記）は、車輪ＷＨのスリップ度合を表す状態量（変数）である。例えば、スリップ状態量Ｓｌｐとして、車体速度Ｖｘａ、及び、車輪速度Ｖｗａの偏差であるスリップ速度が採用される（Ｓｌｐ[**]＝Ｖｘａ−Ｖｗａ[**]）。また、スリップ速度が、車体速度Ｖｘａによって無次元化されてスリップ率（＝Ｓｌｐ[**]／Ｖｘａ）が演算され、スリップ率が、スリップ状態量Ｓｌｐ[**]として採用され得る。
【００５２】
ステップＳ１７０にて、車輪加速度ｄＶｗ[**]、及び、スリップ状態量Ｓｌｐ[**]に基づいて、アンチスキッド制御が実行される。具体的には、アンチスキッド制御の各制御モードには、複数のしきい値が予め設定されている。これらのしきい値と、「車輪加速度ｄＶｗ[**]、及び、スリップ状態量Ｓｌｐ[**]」と、の相互関係に基づいて、減少モードＭｇｎ、及び、増加モードＭｚｏのうちでの何れか１つの制御モードが選択される。加えて、減圧弁のディーティ比Ｄｕｇ、及び、増圧弁のディーティ比Ｄｕｚが決定される。そして、選択された制御モード、及び、決定されたデューティ比に基づいて、電磁弁ＳＶが駆動され、ホイールシリンダＷＣの制動液圧が調整される。加えて、低圧リザーバＲＶから制動液を還流するため、電気モータＭＴの駆動信号が形成される。
【００５３】
＜制御状態の決定処理＞
図３のフロー図を参照して、上記ステップＳ１４０の制御状態の決定処理について説明する。上述したように、制御状態には、２つの状態（通常状態と残留状態）が存在する。そして、夫々の状態が、制御フラグ（判定フラグともいう）ＦＬｚｎによって表現される。具体的には、通常状態では「ＦＬｚｎ＝０」が表示され、残留状態では「ＦＬｚｎ＝１」が表示される。
【００５４】
ステップＳ２１０にて、前回の演算周期における制御状態（即ち、制御フラグＦＬｚｎ）に基づいて、「残留状態であるか、否か」が判定される。「ＦＬｚｎ＝０」であり、ステップＳ２１０が否定される場合（「ＮＯ」の場合）には、処理は、ステップＳ２２０に進む。一方、「ＦＬｚｎ＝１」であり、ステップＳ２１０が肯定される場合（「ＹＥＳ」の場合）には、処理は、ステップＳ２３０に進む。なお、初期値として、制御フラグＦＬｚｎは「０」に設定されている。
【００５５】
ステップＳ２２０にて、車輪ＷＨ[**]の制御モード、車輪速度Ｖｗａ[**]、及び、車輪加速度ｄＶｗ[**]に基づいて、「残留状態の開始条件が満足されるか、否か」が判定される。具体的には、以下の３つの条件（１）〜（３）が、同時に満足される状態が、所定継続時間ｔｋｘ（「所定時間」に相当）に亘って継続される場合に、残留状態の開始が判定される。ここで、所定継続時間ｔｋｘは、時間経過判定のためのしきい値であり、予め設定された所定値である。
【００５６】
（１）４つの車輪ＷＨ[**]の全てにおいて、減少モードＭｇｎが選択されている。該条件が、「制御モード条件」と称呼される。
（２）車輪加速度ｄＶｗ[**]が所定車輪加速度ｄｖｘの範囲内である。換言すれば、車輪加速度ｄＶｗ[**]の絶対値が、所定車輪加速度ｄｖｘ以下である。即ち、「｜ｄＶｗ[**]｜≦ｄｖｘ」が成立する。ここで、所定車輪加速度ｄｖｘは、開始判定のためのしきい値であり、予め設定された所定値である。なお、所定車輪加速度ｄｖｘは、「０」よりも大きい値である。該条件が、「車輪加速度条件」と称呼される。
（３）４つの車輪速度Ｖｗａ[**]のうちの最大値（速度最大値）Ｖｗａ[**]ｄと、４つの車輪速度Ｖｗａ[**]のうちの最小値（速度最小値）Ｖｗａ[**]ｓとの差ｅＶｗが所定速度ｖｗｙ以下である。即ち、「Ｖｗａ[**]ｄ−Ｖｗａ[**]ｓ（＝ｅＶｗ）≦ｖｗｙ」が成立する。ここで、所定速度ｖｗｙは、開始判定のためのしきい値であり、予め設定された所定値である。上述したように、括弧後の添字「ｄ」は、該当する複数の信号のうちの「最大値」を表示し、括弧後の添字「ｓ」は、該当する複数の信号のうちの「最小値」を表示する。該条件が、「車輪速度条件」と称呼される。
【００５７】
残留状態の開始条件が満足され、ステップＳ２２０が肯定される場合（「ＹＥＳ」の場合）には、処理は、ステップＳ２４０に進む。ここで、ステップＳ２２０が肯定された演算周期が、残留状態の開始時点である。一方、残留状態の開始条件が満足されず、ステップＳ２２０が否定される場合（「ＮＯ」の場合）には、処理は、ステップＳ２５０に進む。
【００５８】
ステップＳ２３０では、残留状態の継続時間Ｔｋｚに基づいて、「残留状態の終了条件が満足されるか、否か」が判定される。具体的には、継続時間Ｔｋｚが所定残留時間ｔｚｎ以上の場合に、残留状態の終了が判定される。従って、継続時間Ｔｋｚが所定残留時間ｔｚｎ未満の場合には、残留状態の終了は判定されず、残留状態が継続される。即ち、継続時間Ｔｋｚが所定残留時間ｔｚｎに一致した時点（演算周期）にて、制御状態が、残留状態から通常状態に切り替えられる。ここで、所定残留時間ｔｚｎは、終了判定のためのしきい値であり、予め設定された所定値である。
【００５９】
残留状態の終了条件が満足され、ステップＳ２３０が肯定される場合（「ＹＥＳ」の場合）には、処理は、ステップＳ２６０に進む。ここで、ステップＳ２３０が肯定された演算周期が、残留状態の終了時点である。一方、残留状態の終了条件が満足されず、ステップＳ２３０が否定される場合（「ＮＯ」の場合）には、処理は、ステップＳ２７０に進む。
【００６０】
ステップＳ２４０にて、残留状態が開始される。具体的には、制御状態が、通常状態から残留状態に切り替えられる。残留状態の開始時点（演算周期）にて、制御フラグＦＬｚｎが、「０」から「１」に切り替えられる。
【００６１】
ステップＳ２５０では、残留状態は開始されず、制御状態は、通常状態のままに維持される。即ち、制御フラグＦＬｚｎは、「０」のままである。
【００６２】
ステップＳ２６０にて、残留状態が終了される。具体的には、制御状態が、残留状態から通常状態に切り替えられる。残留状態の終了時点（演算周期）にて、制御フラグＦＬｚｎが、「０」から「１」に切り替えられる。
【００６３】
ステップＳ２７０では、残留状態は終了されず、制御状態は、残留状態のままに維持される。即ち、制御フラグＦＬｚｎは、「１」のままである。
【００６４】
ステップＳ２４０からステップＳ２７０までの処理にて、制御状態（即ち、制御フラグＦＬｚｎ）が設定され、処理は、ステップＳ１５０に進む。ステップＳ１５０では、制御フラグＦＬｚｎが「０」である場合（残留状態ではないと判定される場合）には、車体速度Ｖｘａが、速度最大値Ｖｗａ[**]ｄに基づいて演算される。一方、制御フラグＦＬｚｎが「１」である場合（残留状態であることが判定される場合）には、車体速度Ｖｘａが、速度最小値Ｖｗａ[**]ｓに基づいて演算される。
【００６５】
≪残留状態の開始処理、及び、終了処理≫
残留状態の開始処理、及び、終了処理の意味合いについて説明する。上記（１）の制御モード条件が前提とされた上で、上記（２）の車輪加速度条件によって、制動トルクと路面反力とが平衡状態に近づきつつある（又は、既に平衡状態にある）ことが判定される。これは、「制動トルクと、路面からの反力とが平衡状態に近付きつつあると、車輪加速度ｄＶｗの絶対値が減少していく」という事象に基づく。即ち、減少モードＭｇｎでは、制動トルクは増加されないため、全ての車輪加速度ｄＶｗ[**]が所定車輪加速度ｄｖｘの範囲内であることによって、全ての車輪速度Ｖｗａ[**]が急激に変化している状態ではなく、車体速度の真値Ｖｘｓに向けて収束しつつある、又は、或る程度まで収束したことを表している。
【００６６】
同様に、上記（１）の制御モード条件が前提とされた上で、上記（３）の車輪速度条件によって、制動トルクと路面反力とが平衡状態に近づきつつある（又は、既に平衡状態にある）ことが判定される。減少モードＭｇｎでは、制動トルクは増加されないため、全ての車輪速度Ｖｗａ[**]が所定速度ｖｗｙ内であることによって、全ての車輪速度Ｖｗａ[**]が急激に変化している状態ではなく、車体速度の真値Ｖｘｓに向けて収束しつつある、又は、或る程度まで収束したことを表している。
【００６７】
従って、上記の３つの条件が全て成立している状態が、所定継続時間ｔｋｘに亘って継続した時点で、制御状態が、通常状態から残留状態に切り替えられる（即ち、残留状態が開始される）。車輪速度Ｖｗａに、加速スリップＳｋｓが含まれている場合には、速度最大値Ｖｗａ[**]ｄは、最も車体速度の真値Ｖｘｓから乖離し、速度最小値Ｖｗａ[**]ｓは、最も真値Ｖｘｓに近接している。このため、車体速度Ｖｘａの演算に、速度最大値Ｖｗａ[**]ｄに代えて、速度最小値Ｖｗａ[**]ｓが採用される。これにより、加速スリップＳｋｓの影響が最小限に抑えられる。
【００６８】
上述した開始条件では、「制御モード条件と車輪加速度条件との組み合わせ（「第１の組条件」という）」、及び、「制御モード条件と車輪速度条件との組み合わせ（「第２の組条件」という）」に基づいて、車輪速度Ｖｗａ[**]の或る程度の収束状態が判定された。２つの組条件（第１、第２の組条件）によって、より確実な残留状態開始の判定が達成され得る。しかし、２つの組条件のうちの何れか一方が省略され得る。即ち、以下の３つの場合のうちの何れか１つが開始条件として採用され得る。
（Ａ）制御モード条件、及び、車輪加速度条件の２条件が同時に満足される状態が所定継続時間ｔｋｘに亘って継続される場合（第１組条件）
（Ｂ）制御モード条件、及び、車輪速度条件の２条件が同時に満足される状態が所定継続時間ｔｋｘに亘って継続される場合（第２組条件）
（Ｃ）制御モード条件、車輪速度条件、及び、車輪加速度条件の３条件が同時に満足される状態が所定継続時間ｔｋｘに亘って継続される場合（第１組条件＋第２組条件）
【００６９】
アンチスキッド制御が実行されている途中では、既に、運転者の加速操作は終了されている。このため、車輪速度Ｖｗａ[**]における加速スリップＳｋｓの影響は、長時間に亘っては継続されない。従って、残留状態の継続時間Ｔｋｚが所定残留時間ｔｚｎ以上になった場合には、残留状態は終了され、通常状態に戻される。以上、残留状態の開始処理、及び、終了処理の意味合いについて説明した。
【００７０】
＜作用・効果＞
図４の時系列線図を参照して、本発明に係る車両のＡＳＣの作用・効果について説明する。急加速した直後に、急制動が行われ、アンチスキッド制御が実行された場合が想定されている。上述したように、記号末尾の添字[**]は、各車輪の包括記号である。添字[**]は省略されることもある。
【００７１】
時点ｔ０まで、車両は急加速され、４つの車輪ＷＨ[**]には、加速スリップＳｋｓが生じている。時点ｔ０にて、加速操作が終了され、直後の時点ｔ１にて、急激な制動操作が開始され、時点ｔ２にて、アンチスキッド制御が開始される。各車輪ＷＨ[**]は、常時（即ち、制動時であっても）、動力源ＰＷＵに機械接続されるため、制動操作が開始されても、未だ、加速の影響が残留している。
【００７２】
時点ｔ２から時点ｔ３までの間は、残留状態の開始条件が満足されていない。従って、制御状態は、初期状態である、通常状態（ＦＬｚｎ＝０）のままである。このため、車体速度Ｖｘａは、速度最大値Ｖｗａ[**]ｄに基づいて演算されている。
【００７３】
時点ｔ３にて、残留状態の開始条件が満足される。具体的には、「４つの車輪ＷＨ[**]の全てが減少モードＭｇｎ（制御モード条件）」、且つ、「４つの車輪加速度ｄＶｗ[**]が所定車輪加速度ｄｖｘの範囲内（｜ｄＶｗ[**]｜≦ｄｖｘ）（車輪加速度条件）」、且つ、「速度最大値Ｖｗａ[**]ｄと速度最小値Ｖｗａ[**]ｓとの差ｅＶｗが所定速度ｖｗｙ以下（Ｖｗａ[**]ｄ−Ｖｗａ[**]ｓ≦ｖｗｙ）（車輪速度条件）」の状態が、所定継続時間ｔｋｘに亘って連続される。換言すれば、開始条件として、「上記（１）〜（３）の３条件が、同時に成立する状態が所定継続時間ｔｋｘに亘って継続されること」が採用される。なお、所定車輪加速度ｄｖｘ、及び、所定継続時間ｔｋｘ（「所定時間」に相当）は、開始判定のためのしきい値であり、予め設定された所定値である。
【００７４】
そして、時点ｔ３にて、制御状態において、通常状態（ＦＬｚｎ＝０）から残留状態（ＦＬｚｎ＝１）に遷移される。これにより、車体速度Ｖｘａは、速度最大値Ｖｗａ[**]ｄ（４つの車輪速度Ｖｗａのうちで最速のもの）に代えて、速度最小値Ｖｗａ[**]ｄ（４つの車輪速度Ｖｗａ[**]のうちで最遅のもの）に基づいて演算される。加速スリップＳｋｓが残留する状況において、速度最小値Ｖｗａ[**]ｓは、最も車体速度真値Ｖｘｓに近い。速度最小値Ｖｗａ[**]ｓに基づいて車体速度Ｖｘａが演算されることにより、スリップ状態量Ｓｌｐが適切に演算される。結果、制御モード（特に、減少モードＭｇｎ）が適切に選択され、車両が確実に減速され得る。
【００７５】
時点ｔ４にて、残留状態の終了条件が満足される。具体的には、時点ｔ３から時間カウントされた残留状態の継続時間Ｔｋｚが、所定残留時間ｔｚｎに到達する。時点ｔ４にて、制御状態において、残留状態（ＦＬｚｎ＝１）から通常状態（ＦＬｚｎ＝０）に遷移される。これにより、車体速度Ｖｘａは、速度最小値Ｖｗａ[**]ｓに代えて、速度最大値Ｖｗａ[**]ｄに基づいて演算される。
【００７６】
加速スリップＳｋｓの影響は、長時間に亘っては継続されないため、時点ｔ４に達する前に、車輪速度Ｖｗａ[**]には、加速スリップＳｋｓは含まれず、減速スリップＳｇｎが生じている。このため、通常の車体速度Ｖｘａの演算方法である、速度最大値Ｖｗａ[**]ｄに基づくものに戻される。
【００７７】
なお、上述したように、残留状態の開始条件において、車輪加速度条件、及び、車輪速度条件のうちの何れか１つが省略され得る。これら２つの条件は、ともに、「全ての車輪速度Ｖｗａ[**]が、車体速度の真値Ｖｘｓに向けて収束しつつある、又は、或る程度まで収束したこと」を表していることに因る。
【００７８】
＜他の実施形態＞
以下、他の実施形態について説明する。他の実施形態においても、上記同様の効果（車体速度Ｖｘａの演算における、加速スリップ影響の低減）を奏する。
【００７９】
上記実施形態では、ディスク型制動装置（ディスクブレーキ）の構成が例示された。この場合、摩擦部材ＭＳはブレーキパッドであり、回転部材ＫＴはブレーキディスクである。ディスク型制動装置に代えて、ドラム型制動装置（ドラムブレーキ）が採用され得る。ドラムブレーキの場合、キャリパＣＰに代えて、ブレーキドラムが採用される。また、摩擦部材ＭＳはブレーキシューであり、回転部材ＫＴはブレーキドラムである。
【００８０】
上記実施形態では、車輪ＷＨに制動トルクを付与する装置として、制動液を介した液圧式のものが例示された。これに代えて、電気モータによって駆動される、電動式のものが採用され得る。電動式装置では、電気モータの回転動力が、直線動力に変換され、これによって、摩擦部材ＭＳが回転部材ＫＴに押し付けられる。従って、制動液の圧力に依らず、電気モータによって、直接、制動トルクが発生される。さらに、前輪用として、制動液を介した液圧式のものが採用され、後輪用として、電動式のものが採用された、複合型の構成が形成され得る。
【００８１】
加速スリップＳｋｓの影響は、アンチスキッド制御の開始直後に現れる。このため、残留状態の開始処理は、アンチスキッド制御の開始後の所定時間ｔｓｔ内に限定され得る。具体的には、アンチスキッド制御の開始時点から所定時間ｔｓｔを経過するまでは、残留状態の開始判定（ステップＳ２２０の処理）は許可される。しかし、所定時間ｔｓｔを経過した以降は、該開始判定処理は禁止され得る。なお、所定時間ｔｓｔは、制限判定のためのしきい値であり、予め設定された所定値である。
【００８２】
上記の所定時間ｔｓｔに代えて、減少モードＭｇｎの回数が採用され得る。即ち、アンチスキッド制御の開始後のｎ回目までの減少モードＭｇｎにおいては残留状態の開始判定（ステップＳ２２０の処理）は許可される。しかし、（ｎ＋１）回目以降の減少モードＭｇｎにおいては、該開始判定処理は禁止される。なお、「ｎ」は、所定回数（所定の正の整数）であり、例えば、「ｎ＝１」として設定され得る。
【００８３】
さらに、車両の加速状態量が検出され、これに基づいて、残留状態の開始判定の要否が判定され得る。具体的には、加速状態量が所定値以上の場合には、残留状態の開始判定の処理が実行されるが、加速状態量が所定値未満の場合には、残留状態の開始判定の処理が禁止され得る。なお、加速状態量は、加速操作部材（アクセルペダル）の操作量、動力源ＰＷＵ（内燃機関）のスロットル開度、噴射量、及び、動力源ＰＷＵ（駆動モータ）の通電量のうちの少なくとも１つに基づいて演算され得る。
【符号の説明】
【００８４】
ＡＳＣ…アンチスキッド制御装置、ＭＳ…摩擦部材、ＫＴ…回転部材、ＥＣＵ…コントローラ、ＢＲＫ…アクチュエータ、ＶＷＡ…車輪速度センサ、Ｖｘａ…車体速度、Ｖｗａ[**]…車輪速度、Ｖｗａ[**]ｄ…速度最大値、Ｖｗａ[**]ｓ…速度最小値。
【図１】
2018076010.tif 000003
【図２】
2018076010.tif 000004
【図３】
2018076010.tif 000005
【図４】
2018076010.tif 000006